【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
固体撮像装置から入力された画素信号に応じた画像データを、第１の画像データとして出力する画像データインターフェース部と、
データバスを介して、記憶部に記憶している画像データを読み出し、該読み出した画像データを、第２の画像データとして出力する画像データ読み出し部と、
前記第１の画像データに基づいた画像データと前記第２の画像データに基づいた画像データとを合成した第３の画像データを生成して出力する画像合成部と、
入力された画像データに基づいた評価値を生成する評価値生成部と、
前記第１の画像データに基づいた画像データ、前記第２の画像データに基づいた画像データ、または前記第３の画像データのいずれか１つの画像データを、前記評価値生成部に入力する画像データとして選択する第１の画像データ選択部と、
入力された画像データを、データバスを介して前記記憶部に記憶させる画像データ書き込み部と、
前記第１の画像データに基づいた画像データ、前記第２の画像データに基づいた画像データ、または前記第３の画像データのいずれか１つの画像データを、前記画像データ書き込み部に入力する画像データとして選択する第２の画像データ選択部と、
前記画像データ書き込み部によって前記記憶部に記憶された前記第３の画像データを、データバスを介して前記記憶部から読み出し、該読み出した前記前記第３の画像データに応じた画像を表示する表示部と、
入力された画像データに対して、予め定められた処理を行う第１の前処理部と、
入力された画像データに対して、予め定められた処理を行う第２の前処理部と、
を備えることを特徴とする撮像装置。
【請求項２】
前記画像データインターフェース部は、
前記表示部が画像の表示を更新する単位期間の間に、前記固体撮像装置から入力された画素信号に応じた複数の前記第１の画像データを順次出力し、
前記第２の画像データ選択部は、
前記表示部の前記単位期間が開始された後、前記画像データインターフェース部から最初に出力された前記第１の画像データに基づいた画像データを、前記画像データ書き込み部に入力する画像データとして選択し、
その後、前記表示部の前記単位期間が終了するまで、順次入力される前記第３の画像データを、前記画像データ書き込み部に入力する画像データとして選択し、
前記画像データ書き込み部は、
入力された最初の前記第１の画像データに基づいた画像データに引き続き、入力された前記第３の画像データを、前記記憶部に順次記憶させ、
前記画像データ読み出し部は、
前記記憶部に記憶されている最初の前記第１の画像データに基づいた画像データに引き続き、前記記憶部に記憶されている前記第３の画像データを、第２の画像データとして順次読み出し、
前記画像合成部は、
前記画像データインターフェース部から順次出力されてくる前記第１の画像データに基づいた画像データと、前記画像データ読み出し部によって読み出された前記第２の画像データに基づいた画像データとを順次合成した前記第３の画像データを順次出力し、
前記表示部は、
該表示部の前記単位期間を終了したときに、前記記憶部に記憶されている最後に前記画像合成部によって合成された前記第３の画像データに応じた画像を表示し、
前記第１の画像データ選択部は、
前記表示部の前記単位期間の間に、
前記画像データインターフェース部から順次出力されてくる前記第１の画像データに基づいた画像データ、前記画像データ読み出し部によって順次読み出される前記第２の画像データに基づいた画像データ、または前記画像合成部によって順次合成される前記第３の画像データのいずれか１つの画像データを、前記評価値生成部に入力する画像データとして順次選択し、
前記評価値生成部は、
順次入力される画像データに基づいて、評価値を順次生成する、
ことを特徴とする請求項１に記載の撮像装置。
【請求項３】
前記第１の前処理部は、
入力された前記第１の画像データまたは前記第２の画像データのいずれか一方の画像データに対して、予め定められた処理を行った画像データを、第４の画像データとして出力し、
前記第２の前処理部は、
入力された前記第１の画像データまたは前記第２の画像データのいずれか他方の画像データに対して、予め定められた処理を行った画像データを、第５の画像データとして出力し、
前記画像合成部は、
前記第４の画像データに基づいた画像データと前記第５の画像データとを合成した第３の画像データを生成し、
前記第１の画像データ選択部は、
前記第３の画像データ、前記第４の画像データ、または前記第５の画像データのいずれか１つの画像データを、前記評価値生成部に入力する画像データとして選択し、
前記第２の画像データ選択部は、
前記第３の画像データ、前記第４の画像データ、または前記第５の画像データのいずれか１つの画像データを、前記画像データ書き込み部に入力する画像データとして選択する、
ことを特徴とする請求項２に記載の撮像装置。
【請求項４】
前記画像データインターフェース部と前記画像合成部との間に配置され、入力された画像データを、予め定められた大きさに縮小した第６の画像データを生成して出力する画像縮小部、
をさらに備える、
ことを特徴とする請求項３に記載の撮像装置。
【請求項５】
前記画像縮小部は、
前記第１の前処理部と前記画像合成部との間に配置され、
前記第４の画像データを予め定められた大きさに縮小した前記第６の画像データを生成し、
前記画像合成部は、
前記第６の画像データと前記第５の画像データとを合成した第３の画像データを生成する、
ことを特徴とする請求項４に記載の撮像装置。
【請求項６】
前記画像縮小部は、
前記画像データインターフェース部と前記第１の前処理部との間に配置され、
前記第１の画像データを予め定められた大きさに縮小した前記第６の画像データを生成し、該生成した第６の画像データを、前記第１の前処理部および前記第２の前処理部に入力する前記第１の画像データとして出力し、
前記画像合成部は、
前記第４の画像データと前記第５の画像データとを合成した第３の画像データを生成する、
ことを特徴とする請求項４に記載の撮像装置。
【請求項７】
前記予め定められた大きさは、
前記表示部が表示することができる画像の大きさに応じた画像データの大きさである、
ことを特徴とする請求項５または請求項６に記載の撮像装置。
【請求項８】
前記予め定められた大きさは、
前記評価値生成部が有効な評価値を生成するために必要な画像データの大きさである、
ことを特徴とする請求項５または請求項６に記載の撮像装置。
【請求項９】
前記第２の画像データ選択部と前記画像データ書き込み部との間に配置され、前記第２の画像データ選択部が選択した画像データを、前記画像縮小部と異なる、予め定められた第２の大きさに縮小し、該縮小した画像データを前記画像データ書き込み部に入力する画像データとして出力する第２の画像縮小部と、
前記画像データ読み出し部の後段に配置され、該画像データ読み出し部によって読み出された前記第２の画像データを、前記画像縮小部が出力する前記第６の画像データと同じ大きさに拡大し、該拡大した画像データを、前記第１の前処理部および前記第２の前処理部に入力する前記第２の画像データとして出力する画像拡大部と、
をさらに備える、
ことを特徴とする請求項５または請求項６に記載の撮像装置。
【請求項１０】
前記予め定められた大きさは、
前記評価値生成部が有効な評価値を生成するために必要な画像データの大きさであり、
前記予め定められた第２の大きさは、
前記表示部が表示することができる画像の大きさに応じた画像データの大きさである、
ことを特徴とする請求項９に記載の撮像装置。
【請求項１１】
前記画像合成部は、
前記表示部の前記単位期間が開始された後、前記画像縮小部に最初に入力された画像データに応じた前記第６の画像データに基づいた画像データを、前記第３の画像データとして出力し、
その後、前記表示部の前記単位期間が終了するまで、前記画像縮小部から順次入力される前記第６の画像データに基づいた画像データと、前記画像データ読み出し部によって順次読み出された前記第２の画像データに基づいた画像データとを、順次合成した前記第３の画像データを順次出力し、
前記第２の画像データ選択部は、
前記表示部の前記単位期間の間、順次入力される前記第３の画像データを、前記画像データ書き込み部に入力する画像データとして選択する、
ことを特徴とする請求項５から請求項１０のいずれか１の項に記載の撮像装置。
【請求項１２】
前記第１の前処理部は、
入力された画像データに対して予め定められた補正処理を行う、少なくとも１つの処理部であり、
前記第２の前処理部は、
入力された画像データを、予め定められた時間だけ遅延させて出力する処理を行う、少なくとも１つの遅延部である、
ことを特徴とする請求項１１に記載の撮像装置。
【請求項１３】
前記予め定められた時間は、
前記第１の前処理部に画像データが入力されてから、前記予め定められた補正処理を行って出力するまでの遅延時間と同じ時間である、
ことを特徴とする請求項１２に記載の撮像装置。
【請求項１４】
前記第１の前処理部は、
入力された画像データに対して予め定められた補正処理を行う、少なくとも１つの第１の処理部であり、
前記第２の前処理部は、
入力された画像データに対して予め定められた補正処理を行う、少なくとも１つの第２の処理部である、
ことを特徴とする請求項１１に記載の撮像装置。
【請求項１５】
前記評価値生成部が、前記固体撮像装置から入力された画素信号に応じた画像データに基づいた評価値を生成する場合、
前記第１の画像データ選択部は、
前記第１の画像データに基づいた前記第４の画像データまたは前記第５の画像データのいずれか一方の画像データを、前記評価値生成部に入力する画像データとして選択し、
前記評価値生成部が、前記記憶部に記憶している画像データに基づいた評価値を生成する場合、
前記第１の画像データ選択部は、
前記第２の画像データに基づいた前記第４の画像データまたは前記第５の画像データのいずれか一方の画像データを、前記評価値生成部に入力する画像データとして選択し、
前記評価値生成部が、前記第３の画像データに基づいた評価値を生成する場合、
前記第１の画像データ選択部は、
前記第３の画像データを、前記評価値生成部に入力する画像データとして選択する、
ことを特徴とする請求項１３または請求項１４に記載の撮像装置。
【請求項１６】
当該撮像装置は、
複数の前記評価値生成部と、
複数の前記評価値生成部のそれぞれに対応した複数の前記第１の画像データ選択部と、
を備え、
それぞれの前記第１の画像データ選択部は、
対応する前記評価値生成部が評価値を生成する際に用いる、前記第３の画像データ、前記第１の画像データまたは前記第２の画像データのいずれか一方に基づいた前記第４の画像データ、前記第１の画像データまたは前記第２の画像データのいずれか一方に基づいた前記第５の画像データのいずれか１つの画像データを、対応する前記評価値生成部に入力する画像データとして選択する、
ことを特徴とする請求項１５に記載の撮像装置。
【請求項１７】
少なくとも１つの前記第１の画像データ選択部は、
対応する前記評価値生成部が評価値を生成する際に用いる、前記第１の画像データまたは前記第２の画像データのいずれか一方に基づいた前記第４の画像データまたは前記第５の画像データのいずれか一方の画像データを、対応する前記評価値生成部に入力する画像データとして選択し、
少なくとも別の１つの前記第１の画像データ選択部は、
対応する前記評価値生成部が評価値を生成する際に用いる、前記第１の画像データまたは前記第２の画像データのいずれか他方に基づいた前記第４の画像データまたは前記第５の画像データのいずれか他方の画像データ、または前記第３の画像データを、対応する前記評価値生成部に入力する画像データとして選択する、
ことを特徴とする請求項１６に記載の撮像装置。
【手続補正２】
【補正対象書類名】明細書
【補正対象項目名】００２１
【補正方法】変更
【補正の内容】
【００２１】
上記の課題を解決するため、本発明の撮像装置は、固体撮像装置から入力された画素信号に応じた画像データを、第１の画像データとして出力する画像データインターフェース部と、データバスを介して、記憶部に記憶している画像データを読み出し、該読み出した画像データを、第２の画像データとして出力する画像データ読み出し部と、前記第１の画像データに基づいた画像データと前記第２の画像データに基づいた画像データとを合成した第３の画像データを生成して出力する画像合成部と、入力された画像データに基づいた評価値を生成する評価値生成部と、前記第１の画像データに基づいた画像データ、前記第２の画像データに基づいた画像データ、または前記第３の画像データのいずれか１つの画像データを、前記評価値生成部に入力する画像データとして選択する第１の画像データ選択部と、入力された画像データを、データバスを介して前記記憶部に記憶させる画像データ書き込み部と、前記第１の画像データに基づいた画像データ、前記第２の画像データに基づいた画像データ、または前記第３の画像データのいずれか１つの画像データを、前記画像データ書き込み部に入力する画像データとして選択する第２の画像データ選択部と、前記画像データ書き込み部によって前記記憶部に記憶された前記第３の画像データを、データバスを介して前記記憶部から読み出し、該読み出した前記前記第３の画像データに応じた画像を表示する表示部と、入力された画像データに対して、予め定められた処理を行う第１の前処理部と、入力された画像データに対して、予め定められた処理を行う第２の前処理部と、を備えることを特徴とする。
【手続補正３】
【補正対象書類名】明細書
【補正対象項目名】００２３
【補正方法】変更
【補正の内容】
【００２３】
また、本発明の前記第１の前処理部は、入力された前記第１の画像データまたは前記第２の画像データのいずれか一方の画像データに対して、予め定められた処理を行った画像データを、第４の画像データとして出力し、前記第２の前処理部は、入力された前記第１の画像データまたは前記第２の画像データのいずれか他方の画像データに対して、予め定められた処理を行った画像データを、第５の画像データとして出力し、前記画像合成部は、前記第４の画像データに基づいた画像データと前記第５の画像データとを合成した第３の画像データを生成し、前記第１の画像データ選択部は、前記第３の画像データ、前記第４の画像データ、または前記第５の画像データのいずれか１つの画像データを、前記評価値生成部に入力する画像データとして選択し、前記第２の画像データ選択部は、前記第３の画像データ、前記第４の画像データ、または前記第５の画像データのいずれか１つの画像データを、前記画像データ書き込み部に入力する画像データとして選択する、ことを特徴とする。